(57)【要約】【課題】  装飾シールの貼付に工夫を凝らすことによって、剥がれ難く、貼付し易い釣り竿の装飾構造、及び、製造方法を提供する。【解決手段】  竿素材の塗装層４上に竿軸線方向に沿った幅が狭い小幅の装飾シール層５、装飾シール層５の内側に、装飾シール層５の竿軸線方向に沿った幅と同幅、かつ、装飾シールに施された色彩又は模様を施した下塗ガイド層６を形成する。下塗ガイド層６を竿円周方向の全長に亘って形成するとともに、装飾シール層５を、下塗ガイド層６に沿って形成するとともに、装飾シール５の巻始端５ａと巻終端５ｂを竿円周方向において一定の間隔Ｗを開けた状態で巻回形成してある。【選択図】        図５
2008289446.tif 000002
【特許請求の範囲】
【請求項１】
竿素材の外周面に、塗料を施して形成した塗装層とともに、前記塗装層上に竿軸線方向に沿った幅が狭い小幅の装飾シールを円周方向に沿って施して形成した装飾シール層と、前記装飾シール層の内側に、前記装飾シール層の竿軸線方向に沿った幅と同幅又は略同幅で、かつ、前記装飾シールに施された色彩又は模様と同一の色彩又は模様を施した下塗ガイド層とを形成してある釣り竿の装飾構造。
【請求項２】
前記下塗ガイド層を竿円周方向の全長に亘って形成するとともに、前記装飾シール層を、前記下塗ガイド層に沿って形成するとともに、前記装飾シールの巻始端と巻終端を竿円周方向において一定の間隔を開けた状態で巻回形成してある請求項１記載の釣り竿の装飾構造。
【請求項３】
前記装飾シール層の上に、前記装飾シール層より竿軸線方向に沿った長さが長い透明フィルムを巻回して透明フィルム層を形成するとともに、透明フィルム層の上にクリア塗料を施してクリア塗料層を形成し、前記装飾シール層における前記間隔に対応して前記透明フィルム層の巻始端と巻終端を竿円周方向において一定の間隔を開けた状態で巻回形成してある請求項１または２記載の釣り竿の装飾構造。
【請求項４】
竿素材の外周面に塗料を施して塗装層を形成する塗装工程と、
前記塗装層の上に、竿軸線方向に沿った幅が狭い小幅の下塗ガイド層を、塗料を施して竿円周方向全長に亘って形成する下塗ガイド工程と、
前記竿軸線方向に沿った幅が同幅または略同幅の装飾シールとその装飾シールより竿軸線方向に沿った長さが長くかつ竿円周方向に沿った長さが同一の透明フィルムと前記透明フィルムより竿軸線方向に沿った長さが長い補助フィルムシートとを重ね合わせた合体物を、前記装飾シールが前記下塗ガイド層に沿った状態となるようにかつ前記装飾シール層及び前記透明フィルム層の巻始端と巻終端を竿円周方向において一定の間隔を開けた状態で巻回する装飾シール貼付工程と、
前記装飾シール貼付工程終了後に前記補助フィルムシートを取り去る補助フィルム剥離工程と、
前記塗装層及び透明フィルム層の上から透明クリア塗料層を形成する仕上工程と、
を備えている釣り竿の装飾方法。
【発明の詳細な説明】
【技術分野】
【０００１】
本発明は、竿素材の外周面に、塗料を施して形成した塗装層とともに、前記塗装層上に装飾シール層を施してある釣り竿の装飾構造に関する。
【背景技術】
【０００２】
上記した装飾シールは、スクリーン印刷やホットスタンプ等の技術を駆使して鮮やかな色彩の模様や色合いを施されているので、塗料を施して形成した塗装層の上に貼付されて、鮮やかさ、彩りの豊富さを印象つけるために有用なものである。
【特許文献１】特開平５−１５３８８６号公報（段落〔００３８〕，図７）
【発明の開示】
【発明が解決しようとする課題】
【０００３】
上記した装飾シールは、竿素材の外周面における一定範囲を占める面積をもったものであるので、装飾シールの裏面に接着剤を塗布して所定位置に貼付する作業も円滑に行えるものである。
しかし、装飾シールとして縁取り的な機能を発揮するものを貼付する場合には、幅が小さいものであるから、巻回する際の取扱いに苦慮するとともに、単に、接着剤で貼付しただけでは剥がれ易く、かつ、円周方向の全周に亘って設ける場合には、巻始端と巻終端とが旨く一致しないことがあり、貼付作業に苦慮する面があった。
【０００４】
本発明の目的は、装飾シールの貼付に工夫を凝らすことによって、剥がれ難く、貼付し易い釣り竿の装飾構造、及び、製造方法を提供する点にある。
【課題を解決するための手段】
【０００５】
〔構成〕
本第１発明による特徴構成は、竿素材の外周面に、塗料を施して形成した塗装層とともに、前記塗装層上に竿軸線方向に沿った幅が狭い小幅の装飾シールを円周方向に沿って施して形成した装飾シール層と、前記装飾シール層の内側に、前記装飾シール層の竿軸線方向に沿った幅と同幅又は略同幅で、かつ、前記装飾シールに施された色彩又は模様と同一の色彩又は模様を施した下塗ガイド層とを形成してある点にあり、その作用効果は次の通りである。
【０００６】
〔作用〕
装飾シール層の軸線方向幅と同幅の下塗ガイド層を予め設けることとしてあるので、装飾シールを施して装飾シール層を形成する場合に、その下塗ガイド層に沿って装飾シールを施していけばよい。
【０００７】
〔効果〕
これによって、貼付作業が容易になり、かつ、円周方向に装飾シールを巻回しても、巻き終りと巻き始めとの食い違いが少なくなる。
しかも、装飾シールと同一の色彩等が下塗ガイド層に施されているので、装飾シールの貼り間違いが少なく、多少の位置ズレは目立たないものとなる。
【０００８】
〔構成〕
本第２発明による特徴構成は、前記下塗ガイド層を竿円周方向の全長に亘って形成するとともに、前記装飾シール層を、前記下塗ガイド層に沿って形成するとともに、前記装飾シールの巻始端と巻終端を竿円周方向において一定の間隔を開けた状態で巻回形成してある点にあり、その作用効果は次の通りである。
【０００９】
〔作用効果〕
装飾シールを施すに、間隔を開けて設けたので、巻始端と巻終端とを重ね合わせる際に見られる、巻始端と巻終端とがズレルことを未然に防止できるとともに、重ね合わせたことによる盛り上がりを、装飾シールの上から塗装を施して均して行く際に、盛り上がり厚さに対応して厚さの塗装を行う必要があり、塗装量が大分量のものとなる虞があるが、重ね合わせることがないので、装飾シール自体の厚さに対応した塗装量でよい。
しかも、装飾シールを間隔を開けて設けても、下塗ガイド層と装飾シール層とは同一の色彩等がほどこされているので、間隔が開けてあることが目立たず、装飾上の不備とはならない。
【００１０】
〔構成〕
本第３発明による特徴構成は、前記装飾シール層の上に、前記装飾シール層より竿軸線方向に沿った長さが長い透明フィルムを巻回して透明フィルム層を形成するとともに、透明フィルム層の上にクリア塗料を施してクリア塗料層を形成し、前記装飾シール層における前記間隔に対応して前記透明フィルム層の巻始端と巻終端を竿円周方向において一定の間隔を開けた状態で巻回形成してある点にあり、その作用効果は次の通りである。
【００１１】
〔作用効果〕
装飾シール層の上から透明フィルム層を形成し、かつ、透明フィルム層で装飾シール層を覆うことができるので、下塗ガイド層の上に施した装飾シール層が直接外部に表出することはなく、他物の接触によって剥がれることがない。
しかも、透明フィルム層の上からクリア塗装層を施してあるので、透明フィルム層における両端の間に形成されている間隔、及び、装飾シール層における両端の間に形成されている間隔に対してクリア塗料によって埋めることができ、竿体の表面を平滑なものとすることができる。
【００１２】
しかも、次ぎのような、効果も奏する。
例えば、図７に示すように、軸線方向に沿った幅が小幅の装飾シール５Ａを塗装層４の上に直接全周に亘って設けるとともに、装飾シール５Ａの巻始端５ａと巻終端５ｂとを重ね合わせて設けることが考えられる。そうすると、装飾シール５Ａの上に透明フィルム層７を形成し、更に、その上にクリア塗料層９を形成した場合に、装飾シール５Ａの巻始端５ａ位置の竿尻側に亀裂状のものＰが発生する不具合があった。
このような亀裂状のものＰが発生する原因として考えられることは、装飾シール５Ａと透明フィルム７Ａの巻始端５ａ、７ａと巻終端５ｂ、７ｂとが重ね合わされることによって、巻始端５ａ、７ａが装飾シール５Ａと透明フィルム７Ａの下になるので、透明フィルム７の上からクリア塗料９Ａを施してクリア塗料層９を形成しても、巻始端５ａ、７ａに対してはクリア塗料層９が達することはないので、巻始端５ａ、７ａの段差に対するクリア塗料９Ａによる埋め戻しによる均平化作用は働かず、このようなことが、亀裂状のものの発生原因と考えられた。
これに対して、本願発明においては、図５に示すように、装飾シール５Ａと透明フィルム７の巻始端５ａ、７ａと巻終端５ｂ、７ｂとを間隔Ｗを開けて設けたので、この間隔部分にクリア塗料が入り込み、その間隔部分を埋めて均平化処理が行えることになり、上記のような亀裂状のものの発生が抑えられた。
【００１３】
〔構成〕
本第４発明による特徴構成は、竿素材の外周面に塗料を施して塗装層を形成する塗装工程と、
前記塗装層の上に、竿軸線方向に沿った幅が狭い小幅の下塗ガイド層を、塗料を施して竿円周方向全長に亘って形成する下塗ガイド工程と、
前記竿軸線方向に沿った幅が同幅または略同幅の装飾シールとその装飾シールより竿軸線方向に沿った長さが長くかつ竿円周方向に沿った長さが同一の透明フィルムと前記透明フィルムより竿軸線方向に沿った長さが長い補助フィルムシートとを重ね合わせた合体物を、前記装飾シールが前記下塗ガイド層に沿った状態となるようにかつ前記装飾シール層及び前記透明フィルム層の巻始端と巻終端を竿円周方向において一定の間隔を開けた状態で巻回する装飾シール貼付工程と、
前記装飾シール貼付工程終了後に前記補助フィルムシートを取り去る補助フィルム剥離工程と、
前記塗装層及び透明フィルム層の上から透明クリア塗料層を形成する仕上工程と、
を備えている点にあり、その作用効果は次の通りである。
【００１４】
〔作用効果〕
装飾シールを塗装層の所定位置に施す際に、透明フィルムより竿軸線方向に沿った幅が長い補助フィルムシートを装飾シールと透明フィルムとに重ね合わせて行うようにしてあるので、透明フィルムの幅よりはみ出している補助フィルムシート部分を握って、装飾シールを下塗ガイド層に沿って巻回することができ、装飾シールの巻回作業を容易に行い得る。また、補助フィルムシートは透明フィルムのように、釣り竿の一部として残るものではなく、装飾シールを巻回した後には、取外すものであるので、装飾シールを巻回する際に、強く握ることができ、巻回操作が容易に行い得る。このことによって、装飾シールの巻始端と巻終端との位置決めが旨く行えるようになった。
【発明を実施するための最良の形態】
【００１５】
渓流竿等の釣り竿の製造方法について説明する。図１及び図２に示すように、一方向に引き揃えた炭素繊維等の強化繊維ｃ群にエポキシ等の熱硬化性樹脂を含浸させて形成したプリプレグシートを所定の台形形状に裁断してメインパターン３を形成する。
このように形成したメインパターン３の内の強化繊維を竿周方向に沿わせた第1メインパターン３Ａ、強化繊維を竿軸線方向に沿わせた第２メインパターン３Ｂ、強化繊維を竿周方向に沿わせた第３メインパターン３Ｃを、マンドレル１に巻回する。
【００１６】
マンドレル１に各メインパターン３Ａ、３Ｂ、３Ｃを巻回した後に、竿先部と竿尻部とにメインパターンよりは竿軸線方向に沿った長さが短い補助パターン１０を竿先側と竿尻側とに配置して、竿先側補助パターン１０Ａ、竿尻側補助パターン１０Ｂとで補強してある。図示してはいないが、焼成炉で焼成し、焼成後マンドレル１を脱芯して、所定長さに裁断し、表面研磨加工を行って竿素材２を形成する。
【００１７】
図２（イ）に示すように、竿素材２の外周面に塗装を施す。塗装方法は、図示するように、吹付ノズル１１による吹き付け塗装方法、或いは、シゴキ塗装方法等が採用される。このような塗装方法を使用して塗装された竿素材２の外周面には、図２（ロ）に示すように、所定の模様や色彩等が施された装飾部４Ａを備えた塗装層４が積層される。
【００１８】
以上のように塗装が施された竿素材２に対して、装飾シール層５を形成する工程を説明する。
図３に示すように、装飾シール層５を施す前に、下塗ガイド層６を施す。下塗ガイド層６を施すには、塗装層４における特定の模様色彩を施した装飾部４Ａの縁部に隣接して、軸線方向に沿った幅が装飾部４Ａの幅より短い幅で、特定の色彩の塗料を、筆１２等を利用して全周に亘って施すことになる。
下塗ガイド層６は、竿軸線方向に沿った幅が小さい幅で描かれることとなる。これが、下塗ガイド層工程である。
【００１９】
下塗ガイド層６の上から装飾シール５Ａを施すが、その場合には次ぎのような構成を採って行われる。図４に示すように、装飾シール５Ａは、竿軸線方向に沿った幅が下塗ガイド層６と略同じ幅を有しており、厚みが極薄いものであり、ＰＶＣ等の合成樹脂フィルムが使用される。
装飾シール５Ａの表面には、スクリーン印刷法やホットスタンプ法等の装飾方法を使用して金色等の鮮やかに色彩を放つ装飾が施されており、下塗ガイド層６と同一の色彩が採用され、塗装層４を特徴付けることとなる。
【００２０】
図４及び図５に示すように、装飾シール５Ａを単独で塗装層４に施すのではなく、透明フィルム７Ａ及び補助フィルムシート８とともに、施すこととなる。透明フィルム７Ａは、ポリカーボネート、または、ポリエチレン等を材料としたもので、竿軸線方向に沿った幅が装飾シール５Ａより幅広いものに形成されている。
周方向での長さは、装飾シール５Ａと同一長さに設定される。
【００２１】
透明フィルムＡの外側には補助フィルムシート８が使用される。この補助フィルムシート８は、装飾シール５Ａを施す際の補助をなすものであり、装飾シール５Ａが施された後には、後記するように、取り去られる。
補助フィルムシート８としては、引張強度の高いポリエステルフィルム等が使用され、竿軸線方向に沿った幅が透明フィルム７Ａより幅広いものに形成されている。
【００２２】
このように、装飾シール５Ａを施した後に補助フィルムシート８を取り去るのは、この補助フィルムシート８を、装飾シール５Ａを巻回して施す際に、補助的に掴み操作する為であり、細い幅の装飾シール５Ａを直接施す方法では、作業が困難を伴うこととなるからであり、装飾シール５Ａの巻始端５ａと巻終端５ｂとがズレルことを抑制できるからである。
【００２３】
したがって、図４に示すように、装飾シール５Ａを透明フィルム７Ａ上に載置し、その装飾シール５Ａを載置した透明フィルム７Ａを更に補助フィルムシート８上に載置した状態で、その合体物を装飾シール５Ａが下塗ガイド層６上に重なるように巻回していく。
装飾シール５Ａ及び透明フィルム７Ａの塗装層４への接着については、装飾シール５Ａ及び透明フィルム７Ａ自体にアクリル樹脂系の接着剤を塗布する構成を採っても良いが、或いは、塗装層４の表面に接着剤を塗布する構成を採っても良い。この場合には、補助フィルムシート８は裏面に剥離剤等を塗布する必要がある。
【００２４】
合体物を巻回した状態で、補助フィルムシート８を取外す。補助フィルムシート８を取り外した状態では、図５（イ）（ロ）に示すように、装飾シール５Ａと透明フィルム７Ａが巻回された状態で残っているが、それらは、竿周方向の全長に亘って設けられているわけではなく、竿周方向の一部において、装飾シール５Ａと透明フィルム７との巻始端５ａ，７ａと巻終端５ｂ、７ｂの間に間隔Ｗが設けられている。
この間隔Ｗを設けることによって、前記したように、装飾シール５Ａの両端部が重なって施されて設けられていた場合に見られたクラック状のものの発生を抑えることができる。
【００２５】
透明フィルム７Ａを取り去らずに残すのは、極細幅の装飾シール５Ａの装着状態を安定化して剥離等を抑制するためである。
したがって、図６に示すように、この透明フィルム７Ａの上から竿体の外周面に吹き付け塗装法によって透明のクリア塗料を施して、前記した間隔Ｗを埋めて、竿体の表面の平滑化を図ることとしてある。
【００２６】
〔他の実施例〕
（１）装飾シール５Ａの巻始端５ａと巻終端５ｂを竿円周方向において一定の間隔Ｗを開けた状態で巻回形成する形態を提示したが、必ずしも、巻始端５ａと巻終端５ｂとの間に間隔Ｗを設ける必要はなく、巻始端５ａと巻終端５ｂとを当接する状態で設けることであってもよい。
（２）装飾シール５Ａのみで所定位置に巻回できる場合には、透明フィルム７、補助フィルムシート８を使用する必要はない。
（３）竿素材２について図１において典型的なプリプレグ構成を示したが、筒状の竿素材２ではなく、棒状の竿体を使用してもよい。
【図面の簡単な説明】
【００２７】
【図１】メインパターンと補助パターンをマンドレルに巻回する前の状態を示す斜視図
【図２】（イ）塗装層を形成する状態を示す斜視図、（ロ）竿素材に塗装層を形成した状態を示す縦断側面図
【図３】下塗ガイド層を形成する状態を示す斜視図
【図４】装飾シート、透明フィルム、補助フィルムシートを一体で施す前の状態を示す斜視図
【図５】（イ）装飾シート、透明フィルム、補助フィルムシートを一体で施した状態を示す斜視図、（ロ）装飾シート、透明フィルム、補助フィルムシートの巻回状態を示す拡大斜視図
【図６】クリア塗装を行って仕上工程を行う状態を示す斜視図
【図７】（イ）装飾シート、透明フィルム、補助フィルムシートの巻回状態を示す拡大斜視図、（ロ）装飾シート、透明フィルムの巻回状態を示す縦断正面図
【符号の説明】
【００２８】
２              竿素材
４              塗装層
５              装飾シール層
５Ａ            装飾シール
５ａ            巻始端
５ｂ            巻終端
６              下塗ガイド層
７              透明フィルム層
７Ａ            透明フィルム
７ａ            巻始端
７ｂ            巻終端
８              補助フィルムシート
９              クリア塗料層
９Ａ            クリア塗料
Ｗ              間隔
【図１】
2008289446.tif 000003
【図２】
2008289446.tif 000004
【図３】
2008289446.tif 000005
【図４】
2008289446.tif 000006
【図５】
2008289446.tif 000007
【図６】
2008289446.tif 000008
【図７】
2008289446.tif 000009